(57)【特許請求の範囲】
【請求項１】
シャワー水供給源からホースを介して供給されてきたシャワー水を散水板からシャワーとして吐出させるシャワーヘッドであって、
ヘッド本体内に、そのシャワー水路に交差する切換軸を前後動可能に収納するとともに、この切換軸の移動方向に同軸的に突出する前軸及び後軸のそれぞれに前ボタン及び後ボタンを取付けて、これらの前ボタンまたは後ボタンを選択的に押圧することにより、前記シャワー水路の遮断または開放を行えるようにするとともに、
前記前ボタンの表面形状について、前記前軸より下方部分が上方部分より広い面積を有するようにしたことを特徴とするシャワーヘッド。
【請求項２】
前記後ボタンの表面形状について、当該後ボタンの上下両端が、前記前ボタンの上下両端に対して、それぞれ上側に位置するようにしたことを特徴とする請求項１に記載のシャワーヘッド。
【請求項３】
前記ヘッド本体の、前記前ボタンの直下に位置する部分に、使用者の指が掛けられる指掛け凹所１７を形成したことを特徴とする請求項１または２に記載のシャワーヘッド。
【発明の詳細な説明】
【技術分野】
【０００１】
本発明は、シャワーヘッドに関し、特に、ボタンの押圧によってシャワー水の止水と吐出が選択的に行えるシャワーヘッドに関するものである。
【背景技術】
【０００２】
シャワー水供給源にホースを介して接続されたシャワーヘッドは、ホースの自由に動かせる範囲内であれば非常に自由が利くものであるため、近年ではよく利用されているものとなっている。そして、この種のシャワーヘッドは、「節水型」、「気泡混入型」、あるいは「添加物混入型」等、様々な形態のものも提案されてきている。
【０００３】
特に、「節水型」のものについてみてみると、シャワー水の停止を、シャワー水供給源側ではなくて、シャワーヘッド側でこれを持っている手で行えるようにしたものがある。このようにすると、例えば洗髪中で目を瞑っている状態でシャワー水供給源側の止水栓を探す必要がなくなり、シャワー水の吐出を直ちに止められるから、確かに節水ができるものである。
【０００４】
このようにシャワーヘッドを持つ手の手元で止水及び吐水が選択的に行えるものとしては、特許文献１にて提案されているような「弁の開閉機構、及びそれを備えたハンドシャワーヘッド」等がある。
【先行技術文献】
【特許文献】
【０００５】
【特許文献１】特開２０１３−１６０３１２号公報、要約
【発明の概要】
【発明が解決しようとする課題】
【０００６】
この特許文献１にて提案されている、特に「ハンドシャワーヘッド」は、「操作部のストロークを小さく抑制しながら、小さい操作力で弁の開閉を行うことができる弁の開閉機構を提供する」ことを目的としてなされたもので、図６に示すように、吐水がなされる側に突出した１つの押圧ボタンによって、止水や吐水を行えるようにした便利なものである。
【０００７】
しかしながら、この特許文献１にて提案されているシャワーヘッドでは、一人で、しかも石鹸やシャンプーが付いた手で使用する場合のことは、考慮されていないと考えられる。通常、石鹸やシャンプーが付いた手でシャワーヘッドを使用するときは、ヌルヌルしてしっかりと握ることができないことが多い。特に、吐水がなされる側に突出した１つの押圧ボタンを操作するには使用者の「親指」によることが多いと考えられるが、握る操作で重要な働きをする親指を押圧ボタン上に移動させる場合に、シャワーヘッドがヌルヌルした手から落ちてしまうと考えられるのである。また、ホースは、自由に動かせるとは言っても人の背程度の長さがあるから、シャワー水が満たされていれば相当重いものとなっており、上記親指の移動の際には、シャワーヘッドが滑り落ちないように相当注意をする必要がある。
【０００８】
以上のような操作がしにくい問題は、押圧ボタンが横方向（吐水方向に直交する左右方向）についている、あるいは左右方向に押圧するものである場合も同様に言える。その最大の問題は、人の親指と他の指の各先端位置が互いに全く異なることである。押圧ボタンを押圧するのは通常親指もしくは人差し指であるが、片手でシャワーヘッドを握ったときの親指もしくは人差し指の先端位置（押圧ボタンを押圧するところ）が全く異なっていれば、１つの押圧ボタンの押圧操作をする際には、その指の位置を変えなければならないからであり、この指位置変更の際にシャワーヘッドが手から滑り落ちることがあるのである。
【０００９】
特に、特許文献１のシャワーヘッドのように、シャワー水の吐出と遮断を１つの押圧ボタンで行うようにすると、どうしてもラッチ機構等の複雑機構を採用しなければならず、「操作性の軽さ」は十分とはならないと考えられるのである。
【００１０】
そこで、本発明者等は、シャワー水の遮断や吐出を手元側で行えるとともに、その切換操作時に、シャワーヘッドを滑り落とすことが無く、軽い操作性で使用できるシャワーヘッドとするにはどうしたらよいか、について種々検討を重ねてきた結果、本発明を完成したのである。
【００１１】
すなわち、本発明の目的とするところは、シャワー水の遮断や吐出を手元側で行えることは勿論、その切換操作時にシャワーヘッドの持ち変えや滑り落しが無く、軽い操作性で使用できるシャワーヘッドを提供することにある。
【課題を解決するための手段】
【００１２】
以上の課題を解決するために、まず、請求項１に係る発明の採った手段は、後述する実施形態の説明中で使用する符号を付して説明すると、
「シャワー水供給源２０からホース２１を介して供給されてきたシャワー水を散水板１１からシャワーとして吐出させるシャワーヘッド１０であって、
ヘッド本体１２内に、そのシャワー水路１３に交差する切換軸１４を前後動可能に収納するとともに、この切換軸１４の移動方向に同軸的に突出する前軸１４ａ及び後軸１４ｂのそれぞれに前ボタン１５及び後ボタン１６を取付けて、これらの前ボタン１５または後ボタン１６を選択的に押圧することにより、シャワー水路１３の遮断または開放を行えるようにするとともに、
前ボタン１５の表面形状について、前軸１４ａより下方部分が上方部分より広い面積を有するようにしたことを特徴とするシャワーヘッド１０」
である。
【００１３】
まず、この請求項１に係るシャワーヘッド１０は、図１に示すように、シャワー水供給源２０に接続されたホース２１の先端に取り付けられるもので、このホース２１を介して供給されてきたシャワー水を、シャワーヘッド１０の先端からシャワーとして吐出させるものである。従って、このシャワーヘッド１０は、ホース２１が動く範囲で自由に動かせ、使用できるものである。
【００１４】
このシャワーヘッド１０は、図４に示すように、そのヘッド本体１２内にシャワー水路１３を形成したものであり、このシャワー水路１３の図示下端は、図１に示すホース２１に連通し、その上端には、当該シャワー水路１３内を給送されてきたシャワー水を糸状に吐出させるための散水板１１が設けてある。そして、このシャワーヘッド１０では、そのヘッド本体１２内に切換軸１４を収納したものである。
【００１５】
この切換軸１４は、シャワー水路１３に交差しながら、ヘッド本体１２に対して前後動可能になっているものである。この場合の「前後」とは、散水板１１から吐出されるシャワー水の方向に対してほぼ平行な方向を言うものであり、図５に示すように、当該シャワーヘッド１０の散水板１１を身体側に向けているときのヘッド本体１２部分が「前側」であり、その反対が「後側」となる。
【００１６】
後述する実施形態のシャワーヘッド１０における切換軸１４には、図４に示すように、その移動方向に対して並列的な止水弁１４ｃ及び通水路１４ｄが設けてある。通水路１４ｄは、図４の（ａ）に示すように、切換軸１４が前方に移動したときにシャワー水路１３の上下を連通されるものであり、止水弁１４ｃは、図４の（ｂ）に示すように、切換軸１４が後方に移動したときにシャワー水路１３を遮断するものである。
【００１７】
さて、この切換軸１４には、図４に示すように、その前後の移動方向に同軸的に突出する前軸１４ａ及び後軸１４ｂが設けてあり、これらの前軸１４ａ及び後軸１４ｂには、それぞれ前ボタン１５及び後ボタン１６が取付けてある。これらの前ボタン１５及び後ボタン１６は、ヘッド本体１２の前後に形成した収納部内に収納されて、その中で常に平行移動できるようにしてあり、これらの収納部内に収納された状態であっても、図４に示すように、表面部分がヘッド本体１２から突出した状態におかれるものである。
【００１８】
勿論、この切換軸１４は、これとヘッド本体１２の間に介在させたパッキングによって、シャワー水路１３に供給されたシャワー水が外部に漏れ出ないようにしてある。その他は、例えば特許文献１に記載されているような「ラチャット機構」のような複雑な機構は採用されていないから、構造が簡単になっているだけでなく、その操作性も軽いものとなっているのである。
【００１９】
以上のように構成した請求項１に係るシャワーヘッド１０は、図１、図３、及び図４の（ａ）に示すような状態、つまり、前ボタン１５が前側に突出した状態にあっては、止水弁１４ｃは、図４の（ａ）に示すように、シャワー水路１３の遮断位置から外れているため、シャワー水路１３は通水状態にある。このため、シャワー水供給源２０が給水状態にあれば、シャワー水はホース２１を介してシャワーヘッド１０に送られ、このシャワー水は、切換軸１４の通水路１４ｄを通して散水板１１からシャワー水として散水されることになる。
【００２０】
このシャワー水の吐出状態において、前ボタン１５はシャワー水の突出方向に向いているし、そのような位置となるように、使用者は、当該シャワーヘッド１０を手に持っている。ここで、シャワー水の吐出を止めたいと思った使用者の親指（右利きのひとでも左利きの人でも）は、前ボタン１５の直下に位置するヘッド本体１２部分を握っているはずであるから、シャワーヘッド１０の持ち変えや滑り落ちを来たすことなく、そのまま親指を前ボタン１５上にズラすことができる。
【００２１】
そこで、使用者はこの親指で前ボタン１５を押せば、切換軸１４が図４の（ｂ）に示す位置に何等の問題なく移動し、切換軸１４の止水弁１４ｃがシャワー水路１３を遮断して、散水板１１からのシャワー水の吐出が止まるのである。
【００２２】
次に、このシャワーヘッド１０によってシャワー水の吐出を行いたいときに、使用者は、このシャワーヘッド１０を手に取るのであるが、このとき当然に散水板１１が身体側に向くようにシャワーヘッド１０を手に取るから、親指は前ボタン１５側で他の指は後ボタン１６側になる。そこで、使用者は、その例えば人差し指を後ボタン１６の上に移動させるのであるが、このときには、既に人差し指は後ボタン１６の近傍、特に、この後ボタン１６の下側にあるから、当該シャワーヘッド１０の持ち変えや滑り落ちを来たすことなく行えるのである。
【００２３】
そこで、この人差し指で後ボタン１６を押せば、切換軸１４は前方に移動して通水路１４ｄがシャワー水路１３を開放するから、シャワー水供給源２０が給水状態にあればシャワー水はホース２１を介してシャワーヘッド１０に送られ、このシャワー水は、切換軸１４の通水路１４ｄを通して散水板１１から散水されることになる。
【００２４】
従って、この請求項１に係るシャワーヘッド１０は、まず、シャワー水の遮断や吐出を手元側で行えて、その切換操作時に持ち変えや滑り落しが無く、軽い操作性で使用できるものとなっているのである。
【００２５】
また、この請求項１に記載のシャワーヘッド１０については、
「前ボタン１５の表面形状について、前軸１４ａより下方部分が上方部分より広い面積を有するようにした」
ものであった。
【００２６】
つまり、この請求項１に係るシャワーヘッド１０では、図２の（ａ）及び図４に示すように、切換軸１４の移動方向に対して同軸的に形成してあった前軸１４ａ及び後軸１４ｂの内の、特に前軸１４ａに取り付けた前ボタン１５の表面形状について、前軸１４ａより下方部分が上方部分より広い面積を有するようにしたものである。
【００２７】
この前ボタン１５は、上述したように、当該シャワーヘッド１０を持った使用者の親指で操作されるものである。親指は、当該シャワーヘッド１０を持った手の他の指に比して短いのが一般的であるから、親指より長い人指し指で押圧される後ボタン１６と、当該前ボタン１５とが同じ位置にあると、両者の押圧操作時には、どちらかでシャワーヘッド１０の持ち変えをしなければならない。
【００２８】
この点、この請求項１に係るシャワーヘッド１０では、上記の通り、前ボタン１５の表面形状について、前軸１４ａより下方部分が上方部分より広い面積を有するようにしたのであるから、図４に示すように、前ボタン１５の下端は後ボタン１６のそれより下方に位置することになり、他の指より短い親指に掛り易いものとなっているのである。
【００２９】
ここで、当該シャワーヘッド１０を手に持った使用者が、シャワー水の吐出を止めたいと思ったとき、使用者の親指（右利きのひとでも左利きの人でも）は、前ボタン１５の直下に位置するヘッド本体１２部分を握っているはずであるし、前ボタン１５が他の指より短い親指に掛り易いものとなっているのであるから、シャワーヘッド１０の持ち変えや滑り落ちを来たすことなく、そのまま親指を前ボタン１５上にズラすことができる。
【００３０】
そこで、使用者はこの親指で前ボタン１５を押せば、切換軸１４が図４の（ｂ）に示す位置に何等の問題なく移動し、切換軸１４の止水弁１４ｃがシャワー水路１３を遮断して、散水板１１からのシャワー水の吐出が止まるのである。
【００３１】
従って、この請求項１のシャワーヘッド１０は、上記の機能を発揮する他、親指に掛り易いものとなっている前ボタン１５の存在によって、より一層安全にシャワー水の止水操作が行えるものとなっているのである。
【００３２】
さらに、上記課題を解決するために、請求項２に係る発明の採った手段は、上記請求項１に記載のシャワーヘッド１０について、
「後ボタン１６の表面形状について、当該後ボタン１６の上下両端が、前ボタン１５の上下両端に対して、それぞれ上側に位置するようにしたこと」
である。
【００３３】
この請求項２に係るシャワーヘッド１０では、今度は、後ボタン１６の位置について、全体として前ボタン１５より上方となるようにしたものであり、そのために、後ボタン１６の表面形状について、図２〜図４に示すように、当該後ボタン１６の上下両端が、前ボタン１５の上下両端に対して、それぞれ上側に位置するようにしたものである。このように、後ボタン１６を前ボタン１５より全体的に上方となるようにしたのは、前ボタン１５の位置や形状を親指で押圧するのに適した位置にして置くのに対して、親指より長い人差し指での後ボタン１６の押圧が行い易いようにするためである。
【００３４】
使用者が前ボタン１５を押圧して当該シャワーヘッド１０を止水状態にしたときは、当該シャワーヘッド１０を握ったまま親指を前ボタン１５から遠ざけるが、このとき、他の指が動かされることはない。つまり、使用者の人差し指は、後ボタン１６の近傍に待機したまま位置変更することがないから、シャワー水の吐水のために後ボタン１６を押圧しようとしたときには、今度は親指の位置変更をすることなく、そのまま使用者の人差し指を後ボタン１６側にズラせばよいことになる。後ボタン１６は、全体として前ボタン１５より上方となるようにしてあるからである。
【００３５】
従って、この請求項２のシャワーヘッド１０は、上記請求項１のそれと同様な機能を発揮する他、人指し指に掛り易いものとなっている後ボタン１６の存在によって、より一層安全にシャワー水の吐水操作が行えるものとなっているのである。
【００３６】
そして、上記課題を解決するために、請求項３に係る発明の採った手段は、上記請求項１または２に記載のシャワーヘッド１０について、
「ヘッド本体１２の、前ボタン１５の直下に位置する部分に、使用者の指が掛けられる指掛け凹所１７を形成したこと」
である。
【００３７】
この請求項３のシャワーヘッド１０では、図２及び図３に示すように、ヘッド本体１２の、前ボタン１５の直下に位置する部分に、使用者の指が掛けられる指掛け凹所１７を形成したものであり、この指掛け凹所１７には、通常使用者の親指が掛けられることになる。何故なら、この指掛け凹所１７は、親指で押圧されることになる前ボタン１５の直下に位置するヘッド本体１２に形成してあるからである。
【００３８】
親指は、他の指に単独で対向しているものであるから、当該シャワーヘッド１０のヘッド本体１２を握るのに重要な役割を果たしている。このため、この親指が掛けられる指掛け凹所１７が存在していることは、シャワーヘッド１０を手で握る操作において、特に各指が石鹸やシャンプーでヌルヌルしている場合には、親指のシャワーヘッド１０に対する安定化を果たすことになる。
【００３９】
従って、この請求項３のシャワーヘッド１０は、上記請求項１または２のそれと同様な機能を発揮する他、親指が掛けられる指掛け凹所１７の存在によって、より一層安全にシャワーヘッド１０の取り扱い操作が行えるものとなっているのである。
【発明の効果】
【００４０】
以上、説明した通り、本発明においては、
「シャワー水供給源２０からホース２１を介して供給されてきたシャワー水を散水板１１からシャワーとして吐出させるシャワーヘッド１０であって、
ヘッド本体１２内に、そのシャワー水路１３に交差する切換軸１４を前後動可能に収納するとともに、この切換軸１４の移動方向に同軸的に突出する前軸１４ａ及び後軸１４ｂのそれぞれに前ボタン１５及び後ボタン１６を取付けて、これらの前ボタン１５または後ボタン１６を選択的に押圧することにより、シャワー水路１３の遮断または開放を行えるようにするとともに、
前ボタン１５の表面形状について、前軸１４ａより下方部分が上方部分より広い面積を有するようにしたこと」
にその構成上の主たる特徴があり、これにより、シャワー水の遮断や吐出を手元側で行えることは勿論、その切換操作時に持ち変えや滑り落しが無く、軽い操作性で使用できるとともに、親指に掛り易いものとなっている前ボタン１５の存在によって、より一層安全にシャワー水の止水操作が行えるシャワーヘッド１０を提供することができるのである。
【図面の簡単な説明】
【００４１】
【図１】本発明に係るシャワーヘッド１０の、シャワー水供給源２０に対する関係を示す斜視図である。
【図２】同シャワーヘッド１０を拡大して示すもので、（ａ）は正面図、（ｂ）は背面図である。
【図３】同シャワーヘッド１０の側面図である。
【図４】同シャワーヘッド１０の内部の様子を示すもので、（ａ）は通水時における縦断面図、（ｂ）は遮断時における縦断面図である。
【図５】同シャワーヘッド１０の散水板１１の中心で切って見た平面図である。
【図６】特許文献１に示された技術を示す断面図である。
【発明を実施するための形態】
【００４２】
以上のように構成した各請求項に係る発明を、図面に示した実施の形態であるシャワーヘッド１０について説明すると、図１には、当該実施形態に係るシャワーヘッド１０をホース２１を介してシャワー水供給源２０側に接続した斜視図が示してある。このシャワーヘッド１０の上部前面には、シャワー水を選択的に吐出する散水板１１が設けてあり、この散水板１１の下側は使用者の手で握れる程度の太さのヘッド本体１２となっている。
【００４３】
このヘッド本体１２の、散水板１１の下側に位置する部分には、図１〜図４に示したように、使用者の指で押圧操作される前ボタン１５及び後ボタン１６が設けてある。当該シャワーヘッド１０において「前」とは、図５に示したように、散水板１１が向いている方向を指し、「後」とはこれとは反対の方向を指している。なお、ヘッド本体１２の下端には、図１に示したように、シャワー水供給源２０からのシャワー水を供給するホース２１が接続されることは言うまでもない。
【００４４】
ヘッド本体１２内には、図４に示したように、ホース２１を介して送られてきたシャワー水を選択的に散水板１１に供給するためのシャワー水路１３が形成してあり、このシャワー水路１３の途中には、このシャワー水路１３に交差する切換軸１４が前後動可能に収納または介装してある。
【００４５】
切換軸１４は、シャワー水路１３の通水状態または遮断状態を選択的に形成するものであり、上記前ボタン１５または後ボタン１６によって前後動されるものである。そのために、この切換軸１４には、図４に示したように、シャワー水路１３の遮断状態を形成するための止水弁１４ｃと、シャワー水路１３の通水状態を形成するための通水路１４ｄとが、前後方向でかつ隣接した状態で形成してある。なお、これらの止水弁１４ｃまたは通水路１４ｄの直上となるシャワー水路１３内には、特に止水弁１４ｃによる止水が良好となるように、また止水弁１４ｃまたは通水路１４ｄとの当接変更が安定的となるように、シートパッキングが収納してある。
【００４６】
また、この切換軸１４の前後には、図４に示したように、同軸的でかつ前後に延在するようにした前軸１４ａ及び後軸１４ｂが一体的に形成してある。前軸１４ａには、当該切換軸１４を止水状態とするための前ボタン１５が設けてあり、一方、後軸１４ｂには、当該切換軸１４を通水状態にするための後ボタン１６が取り付けてある。勿論、この切換軸１４は、これとヘッド本体１２の間に介在させたパッキングによって、シャワー水路１３に供給されたシャワー水が外部に漏れ出ないようにしてある。
【００４７】
前ボタン１５及び後ボタン１６は、図４に示したように、ヘッド本体１２の前面及び後面にそれぞれ形成したボタン凹所内に前後動加納に収納したものであり、上記前軸１４ａ及び後軸１４ｂの先端に取り付けたものである。これらの前ボタン１５及び後ボタン１６は、次に述べるように、形状や位置が互いに異なったものである。
【００４８】
前ボタン１５は、当該シャワーヘッド１０を持った使用者の親指で操作されるものであり、この前ボタン１５の表面形状については、前軸１４ａより下方部分が上方部分より広い面積を有するようにしてある。つまり、図４に示したように、前ボタン１５は、その下端が、後ボタン１６のそれより下方に位置することになり、他の指より短い親指に掛り易いものとしてある。何故なら、親指は、当該シャワーヘッド１０を持った手の他の指に比して短いのが一般的であるから、親指より長い人指し指で押圧される後述する後ボタン１６と、当該前ボタン１５とが同じ位置にあると、両者の押圧操作時には、どちらかでシャワーヘッド１０の持ち変えをしなければならないからである。
【００４９】
つまり、この前ボタン１５については、当該シャワーヘッド１０を手に持った使用者が、シャワー水の吐出を止めたいと思ったとき、使用者の親指が当該前ボタン１５の直下に位置するヘッド本体１２部分を握っているはずであるし、前ボタン１５が他の指より短い親指に掛り易いものとなっているのであるから、シャワーヘッド１０の持ち変えや滑り落ちを来たすことなく、そのまま親指を前ボタン１５上にズラすことができるのである。
【００５０】
そこで、使用者はこの親指で前ボタン１５を押せば、切換軸１４が図４の（ｂ）に示した位置に何等の問題なく移動し、切換軸１４の止水弁１４ｃがシャワー水路１３を遮断して、散水板１１からのシャワー水の吐出を止められるのである。
【００５１】
一方、後ボタン１６は、その全体位置について上記前ボタン１５より上方となるようにしたものであり、そのために、その表面形状について、図２〜図４に示したように、当該後ボタン１６の上下両端が、前ボタン１５の上下両端に対して、それぞれ上側に位置するようにしてある。このようにしたのは、前ボタン１５の位置や形状を親指で押圧するのに適した位置にして置くのに対して、親指より長い人差し指での後ボタン１６の押圧が行い易いようにするためである。
【００５２】
使用者が前ボタン１５を押圧して当該シャワーヘッド１０を止水状態にしたときは、当該シャワーヘッド１０を握ったまま親指を前ボタン１５から遠ざけるが、このとき、他の指が動かされることはない。つまり、使用者の人差し指は、後ボタン１６の近傍に待機したまま位置変更することがないから、シャワー水の吐水のために後ボタン１６を押圧しようとしたときには、今度は親指の位置変更をすることなく、そのまま使用者の人差し指を後ボタン１６側にズラせばよいことになる。後ボタン１６は、全体として前ボタン１５より上方となるようにしたからである。
【００５３】
そして、この実施形態に係るシャワーヘッド１０では、ヘッド本体１２の、前ボタン１５の直下に位置する部分に、使用者の指が掛けられる指掛け凹所１７が形成してあり、この指掛け凹所１７には、使用者の親指が掛けられる。何故なら、この指掛け凹所１７は、親指で押圧されることになる前ボタン１５の直下に位置するヘッド本体１２に形成してあるからである。
【００５４】
親指は、他の指に単独で対向しているものであるから、当該シャワーヘッド１０のヘッド本体１２を握るのに重要な役割を果たしている。このため、この親指が掛けられる指掛け凹所１７が存在していることは、シャワーヘッド１０を手で握る操作において、特に各指が石鹸やシャンプーでヌルヌルしている場合には、親指のシャワーヘッド１０に対する安定化を果たすことになるのである。
【符号の説明】
【００５５】
１０    シャワーヘッド
１１    散水板
１２    ヘッド本体
１３    シャワー水路
１４    切換軸
１４ａ  前軸
１４ｂ  後軸
１４ｃ  止水弁
１４ｄ  通水路
１５    前ボタン
１６    後ボタン
１７    指掛け凹所
２０    シャワー水供給源
２１    ホース
【要約】
【課題】シャワー水の遮断や吐出を手元側で行えることは勿論、その切換操作時にシャワーヘッドの持ち変えや滑り落しが無く、軽い操作性で使用できるシャワーヘッドを提供すること。
【解決手段】ヘッド本体１２内に、そのシャワー水路１３に交差する切換軸１４を前後動可能に収納するとともに、この切換軸１４の移動方向に同軸的に突出する前軸１４ａ及び後軸１４ｂのそれぞれに前ボタン１５及び後ボタン１６を取付けて、これらの前ボタン１５または後ボタン１６を選択的に押圧することにより、シャワー水路１３の遮断または開放を行えるようにしたこと。
【選択図】図４【図１】
0005444499.tif 000002
【図２】
0005444499.tif 000003
【図３】
0005444499.tif 000004
【図４】
0005444499.tif 000005
【図５】
0005444499.tif 000006
【図６】
0005444499.tif 000007